(57)【特許請求の範囲】
【請求項１】
回転する草刈り刃を先端に備えた草刈り機に取付けられて、草刈り刃により切断された切断草を受止めて草刈り機の揺動刈り取り操作に伴って草寄せする草寄せ具であって、草寄せ具の寄せ具本体を草刈り刃の上方において横架する棒状体にて形成し、寄せ具本体に、異なる方向に突出する棒状又は粒状の小突起にて形成した草掛け部を形成して成ることを特徴とする草寄せ具。
【請求項２】
回転する草刈り刃を先端に備えた草刈り機に取付けられて、草刈り刃により切断された切断草を受止めて草刈り機の揺動刈り取り操作に伴って草寄せする草寄せ具であって、草寄せ具の寄せ具本体を草刈り刃の上方において横架する棒状体にて形成し、寄せ具本体に溝を形成して草掛け部を形成して成ることを特徴とする草寄せ具。
【請求項３】
回転する草刈り刃を先端に備えた草刈り機に取付けられて、草刈り刃により切断された切断草を受止めて草刈り機の揺動刈り取り操作に伴って草寄せする草寄せ具であって、草寄せ具の寄せ具本体を草刈り刃の上方において横架する棒状体にて形成し、寄せ具本体に角棒を使用して角棒のエッジ部にて草掛け部を形成して成ることを特徴とする草寄せ具。
【請求項４】
回転する草刈り刃を先端に備え、草刈り刃により切断された切断草を受止めて草刈り機の揺動刈り取り操作に伴って草寄せする草寄せ具を草刈り刃の上方に設けた草刈り機であって、草寄せ具の寄せ具本体を草刈り刃の上方において横架する棒状体にて形成し、寄せ具本体に請求項１又は２又は３記載の草掛け部を形成して成ることを特徴とする草刈り機。
【発明の詳細な説明】
【０００１】
【発明の属する技術分野】
本発明は、草寄せ具及び草刈り機に関し、詳しくは、草刈り機の草刈り刃によって切断された草を簡単な構成で放出しないように抵抗少なく受止め、かつ、吊り紐を肩に掛けて例えば左方に草刈り機を振る揺動刈り取り操作に伴って、切断された草を良好に左方に寄せようとする技術に係るものである。
【０００２】
【従来の技術】
従来、円板状の回転刃（草刈り刃）を先端に備えた草刈り機にあっては、回転刃の回転に伴う刈取りによって切断された草は遠心力によって飛散され、例えば、吊り紐によって草刈り機を肩に掛けて左方に振りながら草刈りをおこなう場合等で、切断された草を揃えることが難しく、草刈り後に刈り取った草を熊手や箒等で掃き集めるものとなっていた。
【０００３】
ところで、刈り取った草を放置しておくと、ミミズが繁殖し、これを餌とするもぐらが入り込み、傾斜のある畔（畦）などでは雨が降って弱くなると崩壊する被害が生じることがあり、刈り取った草を集めて取り除いておくことが土工的にも必要となるものである。
【０００４】
このような問題を解消するのに当たって、図９に示す特許第２９３１２８４号のように、回転刃１により切断された切断草Ｇを受けて回転刃１の外側方に案内する草受けガイド２Ａを設けるものであった。
【０００５】
【発明が解決しようとする課題】
ところで、上記草受けガイド２Ａは、図９（ａ）に示すように、一本の金属線材を使用するものであったから、回転刃１で切断された切断草Ｇを受止めることが可能であったが、吊り紐を肩に掛けて例えば左方に草刈り機を振る揺動刈り取り操作に伴って、切断された草を左方に寄せようとする場合に、切断草Ｇが草受けガイド２Ａを滑りやすく、切断草Ｇを切断作業に合わせて寄せ集めることが難しいものとなっていた。
【０００６】
このため、図９（ｂ）に示すように、草寄せ具２Ｂは、一枚の金属帯板を縦板状に使用して寄せ集め機能を高め、かつ、後端側に延出して、一層、寄せ集め機能を高めるようにしている。ところが、一枚の金属帯板の形状を安定化させ難く、安定化を図るためには多数の取付けステーを必要として構成が複雑になり、かつ、金属帯板を縦板状に使用することから、回転刃１にて切断されて遠心力を伴って放出される殆ど全ての切断草が風圧を伴って金属帯板に衝突するのであり、この結果、草刈り作業が重くなり、婦女子や老人は使い難いものとなっていた。
【０００７】
本発明はこのような問題を解消しようとするものであり、草刈り機の草刈り刃によって切断された草を簡単な構成で放出しないように抵抗少なく受止め、かつ、吊り紐を肩に掛けて例えば左方に草刈り機を振る揺動刈り取り操作に伴って、切断された草を良好に左方に寄せることができる草寄せ具及び草刈り機を提供することを課題とする。
【０００８】
【課題を解決するための手段】
請求項１の発明においては、回転する草刈り刃１を先端に備えた草刈り機に取付けられて、草刈り刃１により切断された切断草Ｇを受止めて草刈り機Ａの揺動刈り取り操作に伴って草寄せする草寄せ具２であって、草寄せ具２の寄せ具本体３を草刈り刃１の上方において横架する棒状体にて形成し、寄せ具本体３に、異なる方向に突出する棒状又は粒状の小突起５にて形成した草掛け部６を形成していることを特徴とするものである。
【０００９】
このような構成によれば、草寄せ具２を草刈り機Ａに取付けることで、草刈り機Ａの草刈り刃１によって刈られて遠心力によって飛散される草は草寄せ具２にて受止め、吊り紐を肩に掛けて例えば左方に草刈り機を振る揺動刈り取り操作に伴って、切断された草を左方に寄せることができ、切断草Ｇを箒で掃き集めたように揃えることができ、刈取り後に草を掃き集める作業を省くことができ、例えば、畦の傾斜面の刈取りをおこなう場合に、畦の傾斜の下方から上方に刈取りをおこなうことで刈り取った切断草Ｇを草寄せ具２に受けて傾斜の上方側に持ち上げることができ、刈り取った切断草Ｇが畦の下の用水路や水田に落ちるのを防止することができ、このように、草刈り刃１により刈取りをおこないながら刈り取った草を草寄せ具２にて受けて所定の箇所に集める動作を一挙におこなうことができながら、
特に、本発明においては、草寄せ具２の寄せ具本体３を草刈り刃１の上方において横架する棒状体にて形成し、寄せ具本体３に、異なる方向に突出する棒状又は粒状の小突起５にて形成した草掛け部６を形成しているから、
草刈り刃１で切断された切断草Ｇを草刈り刃１の上方において横架する棒状体にて抵抗少なく受止め、かつ、寄せ具本体３に、異なる方向に突出する棒状又は粒状の小突起５にて形成した草掛け部６によって切断草Ｇを引っ掛けることができ、切断された草を草寄せ具２からすべらせないで確実に寄せることができ、
しかして、切断されて放出された草を簡単な構成で逃がさないように、かつ、抵抗少なく受止め、草刈り機Ａを振る揺動刈り取り操作に伴って、切断された草を確実に寄せることができ、草刈りに伴う草寄せ作業を誰でもが軽快におこなうことができる。
【００１０】
更に、請求項１の発明においては、異なる方向に突出する棒状又は粒状の小突起５により切断草Ｇを引っ掛けて安定的に保持することができ、草刈りに伴う草寄せ作業性を、一層、向上させることができる。
【００１１】
請求項２の発明においては、回転する草刈り刃１を先端に備えた草刈り機に取付けられて、草刈り刃１により切断された切断草Ｇを受止めて草刈り機Ａの揺動刈り取り操作に伴って草寄せする草寄せ具２であって、草寄せ具２の寄せ具本体３を草刈り刃１の上方において横架する棒状体にて形成し、寄せ具本体３に溝１７を形成して草掛け部６を形成したことを特徴とするものである。このような構成によれば、寄せ具本体３に形成した溝１７による草掛け部６によって切断草Ｇを保持することができながら、溝加工だから草掛け部６の形成を容易におこなえ、草寄せ具２の生産性を高めることができる。
【００１２】
請求項３の発明においては、回転する草刈り刃１を先端に備えた草刈り機に取付けられて、草刈り刃１により切断された切断草Ｇを受止めて草刈り機Ａの揺動刈り取り操作に伴って草寄せする草寄せ具２であって、草寄せ具２の寄せ具本体３を草刈り刃１の上方において横架する棒状体にて形成し、寄せ具本体３に角棒８を使用して角棒８のエッジ部８ａにて草掛け部６を形成していることを特徴とするものである。このような構成によれば、角棒８のエッジ部８ａに切断草Ｇを保持することができながら、角棒８を使用することで草掛け部６を容易に得ることができ、草寄せ具２の生産性を高めることができる。
【００１４】
請求項４の発明においては、回転する草刈り刃１を先端に備え、草刈り刃１により切断された切断草Ｇを受止めて草刈り機Ａの揺動刈り取り操作に伴って草寄せする草寄せ具２を草刈り刃１の上方に設けた草刈り機Ａであって、草寄せ具２の寄せ具本体３を草刈り刃１の上方において横架する棒状体にて形成し、寄せ具本体３に請求項１又は２又は３記載の草掛け部６を形成していることを特徴とするものである。このような構成によれば、請求項１又は２又は３と同様の作用を得ることができる。
【００１６】
【発明の実施の形態】
以下、本発明の実施の形態を説明する。図１は部分斜視図である。図２は草刈り機の全体斜視図である。図３（ａ）は草寄せ具の斜視図である。
【００１７】
草刈り機Ａは、中空の主軸１０の内部に回転軸（図示せず）を挿通し、回転軸の下端部に水平回転伝導部を構成し、この水平回転伝導部に下面から挿通された左ねじ締め手段によって草刈り刃１が取替え可能に取付けられて草刈り刃１は矢印イ方向に回転するようにしている。主軸１０の途中にはハンドル１１を設けて上端部にはエンジン１２を搭載して、エンジン１２の駆動にて回転軸及び水平回転伝導部等を介して草刈り刃１を駆動回転させるようにしている。主軸１０には安全カバー９を上下位置変更自在に設けるとともに吊り紐（図示せず）を設けてあり、吊り紐を肩に吊るとともにハンドル１１を持って草刈り機Ａを左方に振り出すようにして草刈りをおこなうようにしている。草刈り刃１は円板状としたが、小径の円状の基板の外周部に周方向に間隔を隔てて複数本の合成樹脂（例えば、ナイロン）製の帯状体、ワイヤー及びロープ等の紐状体を係着した形態のものであってもよい。又、草刈り機Ａの形態は種々のものがある。
【００１８】
図３（ａ）に示すように、草寄せ具２は丸棒の金属製であり、草寄せ具２の寄せ具本体３を棒状体にて形成し、寄せ具本体３に小突起５…を複数突出させて草掛け部６を形成している。寄せ具本体３にステー１３を介して取付け部１４を連結している。取付け部１４はＵ字状に形成して両脚部にねじを切っている。
【００１９】
図１に示すように、主軸１０にＵ字状の取付け部１４を抱持し、プレート１５の両端部の孔を取付け部１４の脚部に挿入し、ナット１６をねじ部に螺合することで草寄せ具２を草刈り機Ａに上下高さを変更可能に取付けることができるようにしている。
【００２０】
このように、草寄せ具２の寄せ具本体３を草刈り刃１の上方において横架する棒状体として設け、寄せ具本体３に小突起５…を複数突出させて草掛け部６を形成していることから、草刈り機Ａの草刈り刃１によって刈られて遠心力によって飛散される草は草寄せ具２にて受止め、吊り紐を肩に掛けて例えば左方に草刈り機Ａを振る揺動刈り取り操作に伴って、切断された草を左方（図１の矢印ロ方向）に寄せることができ、切断草Ｇを箒で掃き集めたように揃えることができ、刈取り後に草を掃き集める作業を省くことができ、例えば、畦の傾斜面の刈取りをおこなう場合に、畦の傾斜の下方から上方に刈取りをおこなうことで刈り取った切断草Ｇを草寄せ具２に受けて傾斜の上方側に持ち上げることができ、刈り取った切断草Ｇが畦の下の用水路や水田に落ちるのを防止することができ、このように、草刈り刃１により刈取りをおこないながら刈り取った草を草寄せ具２にて受けて所定の箇所に集める動作を一挙におこなえるのである。
【００２１】
この場合、草寄せ具２の寄せ具本体３を草刈り刃１の上方において横架する棒状体にて形成し、寄せ具本体３に小突起５…を複数突出させて草掛け部６を形成していることから、草刈り刃１で切断された切断草Ｇを草刈り刃１の上方において横架する棒状体にて抵抗少なく受止め、かつ、寄せ具本体３より突出させた小突起５…を備えた草掛け部６によって切断草Ｇを引っ掛けることができ、切断された草を草寄せ具２からすべらせないで確実に寄せることができるのである。
【００２２】
しかして、切断されて放出された草を簡単な構成で逃がさないように、かつ、抵抗少なく受止め、草刈り機Ａを振る揺動刈り取り操作に伴って、切断された草を確実に寄せることができ、草刈りに伴う草寄せ作業を誰でもが軽快におこなうことができるのである。
図３（ａ）に示すように、丸棒にて形成した寄せ具本体３に丸ピン状の棒状突起７…を例えば二方向に略直交させて多数突設させていて、略直交する棒状突起７、７により切断草Ｇを引っ掛けて安定的に保持することができ、草刈りに伴う草寄せ作業性を、一層、向上させることができる。棒状突起７の高さは、２ｍｍ〜２０ｍｍ、好ましくは、５ｍｍ〜１０ｍｍであり、刈る草に応じて設定し、又、棒状突起７…のピッチも種々実験を重ねて設定している。棒状突起７…の個数及び分布も種々設計変更可能である。草寄せ具２はダイキャスト製でもよい。
ところで、安全カバー９も草寄せ具２と同様に主軸１０に高さ変更可能に取付けていて、草寄せ具２の高さ変更に応じて安全カバー９の高さ変更ができ、草刈り高を変更する場合に安全性を確保することができ、かつ、草寄せ具２と安全カバー９との間隔を任意に変更することができることから、草寄せ具２に絡む切断草Ｇのボリュームの変更に容易に対処でき、草寄せ具２と安全カバー９との間に切断草Ｇが詰まることを回避でき、草刈り機Ａが使いやすくなる。尚、安全カバー９を主軸１０に高さ変更可能に取付ける構成は、図示はしないが周知の草刈り機における安全カバー９の取付け構成を採用することができる。
図３（ｂ）乃至図８は他の実施の形態を示し、但し、本実施の形態の基本構成は上記実施の形態と共通であり、共通する部分には同一の符号を付して説明は省略する。
図３（ｂ）に示す他の実施の形態は、棒状突起７…は寄せ具本体３の長さ方向の前半部に設け、後半部には設けていない。
本実施の形態によれば、草刈り機Ａの揺動刈り取り操作に伴って草寄せする作業をおこなうのに際して、寄せ具本体３の全長に棒状突起７…を設けると草寄せ作業の抵抗が大きくなり、後半部に設けて前半部に設けないと草寄せ効率が低下するのであるが、棒状突起７…は寄せ具本体３の前半部に設け、後半部には設けていなくて、抵抗を低減しながら草寄せ効率を高めることができる。
【００２３】
図４に示す他の実施の形態の草掛け部６は、異なる方向に突出する粒状の小突起５にて形成している。小突起５の粒径は同図（ａ）に示すように数ｍｍ程度であっても、又、同図（ｂ）に示すように、ローレット加工等により径が１ｍｍ以下のものであってもよい。耐油性の樹脂コーティングによって微小径の小突起５を形成するようにしてもよい。
【００２４】
本実施の形態によれば、草掛け部６は異なる方向に突出する粒状の小突起５により形成していることから、草掛け部６により切断草Ｇを無理なく係止し、草掛け部６に多くの切断草Ｇが引っ掛かることによる作業負荷の増大を回避でき、又、草掛け部６の形成が容易でコストを抑えやすくてよい。
【００２５】
図５及び図６に示す他の実施の形態の草掛け部６は、寄せ具本体３に形成した溝１７にて形成している。図５に示す溝１７は環状溝であり、図６に示す溝１７は螺旋溝である。このような構成によれば、寄せ具本体３に形成した溝１７による草掛け部６によって切断草Ｇを保持することができながら、溝加工だから草掛け部６の形成を容易におこなえ、草寄せ具２の生産性を高めることができる。
【００２６】
図７に示す他の実施の形態の草掛け部６は、寄せ具本体３に角棒８を使用して角棒８のエッジ部８ａにおいて形成するものである。
【００２７】
本実施の形態においては、角棒８のエッジ部８ａに切断草Ｇを保持することができながら、角棒８を使用することで草掛け部６を容易に得ることができ、草寄せ具２の生産性を高めることができ、しかも、草掛け部６に多くの切断草Ｇが引っ掛かることによる作業負荷の増大を回避でき、かつ、草掛け部６の形成が容易でコストを抑えやすくてよい。この場合、同図（ａ）に示すように、角棒８をストレートに使用しても、又、同図（ｂ）に示すように、草寄せ具本体３の両端部を中間部に対してねじるようにしてもよいものであり、このようにねじる場合には、一層、草掛け効果を高めることができてよい。
【００２８】
図８（ａ）に示す他の実施の形態は、寄せ具本体３を耐油性を備えたナイロン等の硬質合成樹脂にて角パイプ状に成形し、又、ステー１３及びＵ字状の取付け部１４を同材料の硬質合成樹脂にて丸棒状に成形し、寄せ具本体３、ステー１３及び取付け部１４を一体化したものである。この場合、一体成形してもよいが、寄せ具本体３を別体に成形し、ステー１３及び取付け部１４を寄せ具本体３に固着するようにしてもよいものである。
【００２９】
このように、草寄せ具２を合成樹脂製にすることで、軽量化を図ることができるものである。又、角パイプ状の寄せ具本体３はスチール、アルミニュウム等の金属製であってもよい。
【００３０】
更に、図８（ｂ）に示すように、合成樹脂製で小突起５を一体的に形成し、かつ、角筒状で小突起５を形成しているアダプター１９を図８（ａ）の寄せ具本体３の両端部に挿入してボルト２０にて接続するようにしてもよいものであり、この接続用のボルト２０が小突起５となるようにしてもよい。
【００３１】
【発明の効果】
請求項１の発明においては、回転する草刈り刃を先端に備えた草刈り機に取付けられて、草刈り刃により切断された切断草を受止めて草刈り機の揺動刈り取り操作に伴って草寄せする草寄せ具であって、草寄せ具の寄せ具本体を草刈り刃の上方において横架する棒状体にて形成し、寄せ具本体に、異なる方向に突出する棒状又は粒状の小突起にて形成した草掛け部を形成しているから、
草寄せ具を草刈り機に取付けることで、草刈り機の草刈り刃によって刈られて遠心力によって飛散される草は草寄せ具にて受止め、吊り紐を肩に掛けて例えば左方に草刈り機を振る揺動刈り取り操作に伴って、切断された草を左方に寄せることができ、切断草を箒で掃き集めたように揃えることができ、刈取り後に草を掃き集める作業を省くことができ、例えば、畦の傾斜面の刈取りをおこなう場合に、畦の傾斜の下方から上方に刈取りをおこなうことで刈り取った切断草を草寄せ具に受けて傾斜の上方側に持ち上げることができ、刈り取った切断草が畦の下の用水路や水田に落ちるのを防止することができ、このように、草刈り刃により刈取りをおこないながら刈り取った草を草寄せ具にて受けて所定の箇所に集める動作を一挙におこなうことができながら、
特に、本発明においては、草寄せ具の寄せ具本体を草刈り刃の上方において横架する棒状体にて形成し、寄せ具本体に、異なる方向に突出する棒状又は粒状の小突起にて形成した草掛け部を形成しているから、
草刈り刃で切断された切断草を草刈り刃の上方において横架する棒状体にて抵抗少なく受止め、かつ、寄せ具本体に、異なる方向に突出する棒状又は粒状の小突起にて形成した草掛け部によって切断草を引っ掛けることができ、切断された草を草寄せ具からすべらせないで確実に寄せることができ、
しかして、切断されて放出された草を簡単な構成で逃がさないように、かつ、抵抗少なく受止め、草刈り機を振る揺動刈り取り操作に伴って、切断された草を確実に寄せることができ、草刈りに伴う草寄せ作業を誰でもが軽快におこなうことができるという利点がある。
【００３２】
更に、請求項１の発明においては、草掛け部は、異なる方向に突出する棒状又は粒状の小突起であるから、異なる方向に突出する草掛け部により切断草を引っ掛けて安定的に保持することができ、草刈りに伴う草寄せ作業性を、一層、向上させることができるという利点がある。
【００３３】
請求項２の発明においては、回転する草刈り刃を先端に備えた草刈り機に取付けられて、草刈り刃により切断された切断草を受止めて草刈り機の揺動刈り取り操作に伴って草寄せする草寄せ具であって、草寄せ具の寄せ具本体を草刈り刃の上方において横架する棒状体にて形成し、寄せ具本体に溝を形成して草掛け部を形成しているから、寄せ具本体に形成した溝による草掛け部によって切断草を保持することができながら、溝加工だから草掛け部の形成を容易におこなえ、草寄せ具の生産性を高めることができるという利点がある。
【００３４】
請求項３の発明においては、回転する草刈り刃を先端に備えた草刈り機に取付けられて、草刈り刃により切断された切断草を受止めて草刈り機の揺動刈り取り操作に伴って草寄せする草寄せ具であって、草寄せ具の寄せ具本体を草刈り刃の上方において横架する棒状体にて形成し、寄せ具本体に角棒を使用して角棒のエッジ部にて草掛け部を形成しているから、角棒のエッジ部に切断草を保持することができながら、角棒を使用することで草掛け部を容易に得ることができ、草寄せ具の生産性を高めることができるという利点がある。
【００３６】
請求項４の発明においては、請求項１又は２又は３と同様の効果を得ることができるという利点がある。
【図面の簡単な説明】
【図１】本発明の実施の一形態の部分斜視図である。
【図２】同上の草刈り機の全体斜視図である。
【図３】（ａ）は同上の草寄せ具の斜視図、（ｂ）は他の実施の形態の斜視図である。
【図４】（ａ）は同上の更に他の実施の形態の斜視図、（ｂ）は部分斜視図である。
【図５】同上の更に他の実施の形態の草寄せ具の斜視図である。
【図６】同上の更に他の実施の形態の斜視図である。
【図７】（ａ）（ｂ）（ｃ）は同上の更に他の実施の形態の草寄せ具の斜視図である。
【図８】（ａ）（ｂ）は同上の更に他の実施の形態の草寄せ具の斜視図、分解斜視図である。
【図９】従来例を示し、（ａ）は概略平面図、（ｂ）は斜視図である。
【符号の説明】
１  草刈り刃
２  草寄せ具
３  寄せ具本体
５  小突起
６  草掛け部
７  棒状突起
Ｇ  切断草
【図１】
0003569508.tif 000002
【図２】
0003569508.tif 000003
【図３】
0003569508.tif 000004
【図４】
0003569508.tif 000005
【図５】
0003569508.tif 000006
【図６】
0003569508.tif 000007
【図７】
0003569508.tif 000008
【図８】
0003569508.tif 000009
【図９】
0003569508.tif 000010